(57)【要約】【課題】連続媒体の切断を検知しない場合に比べ、後の復旧作業を簡素化することを目的とする。【解決手段】画像形成装置２は、連続媒体Ｓに画像を形成する画像形成部と、連続媒体Ｓを搬送する搬送手段と、搬送手段により搬送される連続媒体Ｓの搬送状態から連続媒体Ｓが切断されたことを検知する検知部とを備える。また、画像形成部では、画像が形成された連続媒体Ｓが通過するニップ部Ｎにて連続媒体Ｓを加熱および加圧し連続媒体Ｓに画像を定着し、検知部により連続媒体Ｓが切断されたことが検知された場合、ニップ部Ｎにおける圧力を低下させ若しくはニップ部における加圧を解除する手段を更に備える。【選択図】図３−１
2018017935.tif 000002
【特許請求の範囲】
【請求項１】
連続媒体に画像を形成する画像形成部と、
連続媒体を搬送する搬送手段と、
前記搬送手段により搬送される連続媒体の搬送状態から当該連続媒体が切断されたことを検知する検知部と、
を備えた、画像形成装置。
【請求項２】
前記画像形成部では、画像が形成された連続媒体が通過するニップ部にて当該連続媒体を加熱および加圧し当該連続媒体に当該画像を定着し、
前記検知部により前記連続媒体が切断されたことが検知された場合、前記ニップ部における加圧を解除する手段を更に備えることを特徴とする請求項１記載の画像形成装置。
【請求項３】
前記搬送手段は、前記検知部により前記連続媒体が切断されたことが検知された場合、切断され二つに分かれた当該連続媒体のうちの搬送方向上流側に位置する部分を上流側へ搬送することを特徴とする請求項１または２記載の画像形成装置。
【請求項４】
前記搬送手段は、前記検知部により前記連続媒体が切断されたことが検知された場合、切断され二つに分かれた当該連続媒体のうちの搬送方向上流側に位置する部分を下流側へ搬送することを特徴とする請求項１または２記載の画像形成装置。
【請求項５】
前記搬送手段は、前記検知部により前記連続媒体が切断されたことが検知された場合、切断され二つに分かれた当該連続媒体のうちの搬送方向下流側に位置する部分を下流側へ搬送することを特徴とする請求項１乃至４のいずれか記載の画像形成装置。
【請求項６】
前記画像形成部は、画像が形成された連続媒体を加熱および加圧し当該連続媒体に当該画像を定着する定着手段を備え、
前記定着手段は、前記検知部により前記連続媒体が切断されたことが検知された場合であって、当該連続媒体のうちの当該定着手段よりも搬送方向上流側に位置する部分を前記搬送手段により当該定着手段よりも下流側へ搬送する場合、当該部分を加熱および加圧することを特徴とする請求項１乃至５のいずれか記載の画像形成装置。
【請求項７】
前記画像形成部は、画像が形成された連続媒体を加熱および加圧し当該連続媒体に当該画像を定着する定着手段を備え、
前記搬送手段は、前記定着手段が位置する箇所で若しくは当該定着手段よりも搬送方向上流側で前記連続媒体が切断されたことが前記検知部により検知された場合、切断され二つに分かれた当該連続媒体のうちの搬送方向上流側に位置する部分を上流側へ搬送し若しくは当該部分の搬送を停止することを特徴とする請求項１乃至６のいずれか記載の画像形成装置。
【請求項８】
前記搬送手段は、前記定着手段よりも搬送方向下流側で前記連続媒体が切断されたことが前記検知部により検知された場合、切断され二つに分かれた当該連続媒体のうちの搬送方向上流側に位置する部分を下流側へ搬送することを特徴とする請求項７記載の画像形成装置。
【請求項９】
前記搬送手段は、前記検知部により前記連続媒体が切断されたことが検知された場合、切断され二つに分かれた当該連続媒体のうちの搬送方向上流側に位置する上流側部分の下流側端部が連続媒体搬送経路のうちの予め定められた箇所まで移動するように当該上流側部分の搬送を行うことを特徴とする請求項１、２、５乃至７のいずれか記載の画像形成装置。
【請求項１０】
前記搬送手段は、前記検知部により前記連続媒体が切断されたことが検知された場合、切断され二つに分かれた当該連続媒体のうちの搬送方向下流側に位置する下流側部分の上流側端部が連続媒体搬送経路のうちの予め定められた箇所まで移動するように当該下流側部分の搬送を行うことを特徴とする請求項１乃至４、６乃至８のいずれか記載の画像形成装置。
【請求項１１】
前記搬送手段は、前記検知部により前記連続媒体が切断されたことが検知された場合、当該連続媒体の搬送を停止することを特徴とする請求項１または２記載の画像形成装置。
【請求項１２】
連続媒体を搬送する搬送手段と、
前記搬送手段により搬送される連続媒体の搬送状態から当該連続媒体が切断されたことを検知する検知部と、
を備えた、連続媒体搬送装置。
【請求項１３】
連続媒体を供給する給紙装置と、
前記給紙装置から供給された連続媒体に画像を形成する画像形成装置と、
前記画像形成装置により画像が形成された連続媒体を回収する回収装置と、
を備え、
前記画像形成装置は、
連続媒体を搬送する搬送手段と、
前記搬送手段により搬送される連続媒体の搬送状態から当該連続媒体が切断されたことを検知する検知部と、
を備えた、画像形成システム。
【発明の詳細な説明】
【技術分野】
【０００１】
本発明は、画像形成装置、連続媒体搬送装置、および画像形成システムに関する。
【背景技術】
【０００２】
特許文献１には、用紙終端が用紙センサ位置を通過していた場合には、印刷可能用紙残量を算出し、算出した用紙残量が０であるかどうかの判断を行い、０であるならば操作パネルに用紙切れを表示して印刷を終了する印刷装置が開示されている。
【先行技術文献】
【特許文献】
【０００３】
【特許文献１】特開２００６−００１１６３号公報
【発明の概要】
【発明が解決しようとする課題】
【０００４】
画像形成装置などでは、搬送方向に連続した連続媒体が搬送されることがあり、また、連続媒体の搬送中にこの連続媒体の切断が起きることがある。ここで、連続媒体の切断を検知しないと、切断により分断された連続媒体の搬送が継続されてしまい、後に行う復旧作業を複雑化させてしまうおそれがある。
本発明は、連続媒体の切断を検知しない場合に比べ、後の復旧作業を簡素化することを目的とする。
【課題を解決するための手段】
【０００５】
請求項１に記載の発明は、連続媒体に画像を形成する画像形成部と、連続媒体を搬送する搬送手段と、前記搬送手段により搬送される連続媒体の搬送状態から当該連続媒体が切断されたことを検知する検知部と、を備えた、画像形成装置である。
請求項２に記載の発明は、前記画像形成部では、画像が形成された連続媒体が通過するニップ部にて当該連続媒体を加熱および加圧し当該連続媒体に当該画像を定着し、前記検知部により前記連続媒体が切断されたことが検知された場合、前記ニップ部における加圧を解除する手段を更に備えることを特徴とする請求項１記載の画像形成装置である。
請求項３に記載の発明は、前記搬送手段は、前記検知部により前記連続媒体が切断されたことが検知された場合、切断され二つに分かれた当該連続媒体のうちの搬送方向上流側に位置する部分を上流側へ搬送することを特徴とする請求項１または２記載の画像形成装置である。
請求項４に記載の発明は、前記搬送手段は、前記検知部により前記連続媒体が切断されたことが検知された場合、切断され二つに分かれた当該連続媒体のうちの搬送方向上流側に位置する部分を下流側へ搬送することを特徴とする請求項１または２記載の画像形成装置である。
請求項５に記載の発明は、前記搬送手段は、前記検知部により前記連続媒体が切断されたことが検知された場合、切断され二つに分かれた当該連続媒体のうちの搬送方向下流側に位置する部分を下流側へ搬送することを特徴とする請求項１乃至４のいずれか記載の画像形成装置である。
請求項６に記載の発明は、前記画像形成部は、画像が形成された連続媒体を加熱および加圧し当該連続媒体に当該画像を定着する定着手段を備え、前記定着手段は、前記検知部により前記連続媒体が切断されたことが検知された場合であって、当該連続媒体のうちの当該定着手段よりも搬送方向上流側に位置する部分を前記搬送手段により当該定着手段よりも下流側へ搬送する場合、当該部分を加熱および加圧することを特徴とする請求項１乃至５のいずれか記載の画像形成装置である。
請求項７に記載の発明は、前記画像形成部は、画像が形成された連続媒体を加熱および加圧し当該連続媒体に当該画像を定着する定着手段を備え、前記搬送手段は、前記定着手段が位置する箇所で若しくは前記定着手段よりも搬送方向上流側で前記連続媒体が切断されたことが前記検知部により検知された場合、切断され二つに分かれた当該連続媒体のうちの搬送方向上流側に位置する部分を上流側へ搬送し若しくは当該部分の搬送を停止することを特徴とする請求項１乃至６のいずれか記載の画像形成装置である。
請求項８に記載の発明は、前記搬送手段は、前記定着手段よりも搬送方向下流側で前記連続媒体が切断されたことが前記検知部により検知された場合、切断され二つに分かれた当該連続媒体のうちの搬送方向上流側に位置する部分を下流側へ搬送することを特徴とする請求項７記載の画像形成装置である。
請求項９に記載の発明は、前記搬送手段は、前記検知部により前記連続媒体が切断されたことが検知された場合、切断され二つに分かれた当該連続媒体のうちの搬送方向上流側に位置する上流側部分の下流側端部が連続媒体搬送経路のうちの予め定められた箇所まで移動するように当該上流側部分の搬送を行うことを特徴とする請求項１、２、５乃至７のいずれか記載の画像形成装置である。
請求項１０に記載の発明は、前記搬送手段は、前記検知部により前記連続媒体が切断されたことが検知された場合、切断され二つに分かれた当該連続媒体のうちの搬送方向下流側に位置する下流側部分の上流側端部が連続媒体搬送経路のうちの予め定められた箇所まで移動するように当該下流側部分の搬送を行うことを特徴とする請求項１乃至４、６乃至８のいずれか記載の画像形成装置である。
請求項１１に記載の発明は、前記搬送手段は、前記検知部により前記連続媒体が切断されたことが検知された場合、当該連続媒体の搬送を停止することを特徴とする請求項１または２記載の画像形成装置である。
請求項１２に記載の発明は、連続媒体を搬送する搬送手段と、前記搬送手段により搬送される連続媒体の搬送状態から当該連続媒体が切断されたことを検知する検知部と、を備えた、連続媒体搬送装置である。
請求項１３に記載の発明は、連続媒体を供給する給紙装置と、前記給紙装置から供給された連続媒体に画像を形成する画像形成装置と、前記画像形成装置により画像が形成された連続媒体を回収する回収装置と、を備え、前記画像形成装置は、連続媒体を搬送する搬送手段と、前記搬送手段により搬送される連続媒体の搬送状態から当該連続媒体が切断されたことを検知する検知部と、を備えた、画像形成システムである。
【発明の効果】
【０００６】
請求項１の発明によれば、連続媒体の切断を検知しない場合に比べ、後の復旧作業が簡素化できる。
請求項２の発明によれば、連続媒体の切断後にニップ部における加圧を解除しない場合に比べて、連続媒体が画像形成部から受ける熱量を低減することができる。
請求項３の発明によれば、切断された連続媒体のうちの搬送方向上流側に位置する部分を上流側へ搬送しない場合に比べて、後に行う復旧作業をより簡易なものにできる。
請求項４の発明によれば、切断された連続媒体のうちの搬送方向上流側に位置する部分を下流側へ搬送しない場合に比べて、後に行う復旧作業をより簡易なものにできる。
請求項５の発明によれば、切断された連続媒体のうちの搬送方向下流側に位置する部分を下流側へ搬送しない場合に比べて、後に行う復旧作業をより簡易なものにできる。
請求項６の発明によれば、連続媒体のうちの定着手段よりも搬送方向上流側に位置する部分を加熱および加圧しない場合に比べて、画像形成装置の内部にトナー像が付着することを抑制することができる。
請求項７の発明によれば、切断された連続媒体のうちの搬送方向上流側に位置する部分が定着手段に達することを防止することができる。
請求項８の発明によれば、切断された連続媒体のうちの搬送方向上流側に位置する部分を下流側へ搬送しない場合に比べて、後に行う復旧作業をより簡易なものにできる。
請求項９の発明によれば、切断された連続媒体のうちの上流側部分の下流側端部が移動する先を定めない場合に比べ、後に行う復旧作業をより簡易なものにできる。
請求項１０の発明によれば、切断された連続媒体のうちの下流側部分の上流側端部が移動する先を定めない場合に比べ、後に行う復旧作業をより簡易なものにできる。
請求項１１の発明によれば、切断された連続媒体の搬送を継続する場合に比べ、後に行う復旧作業をより簡易なものにできる。
請求項１２、１３の発明によれば、連続媒体の切断を検知しない場合に比べ、後の復旧作業が簡素化できる。
【図面の簡単な説明】
【０００７】
【図１】本実施形態の画像形成システムの構成例を示した図である。
【図２】画像形成装置の詳細を示した図である。
【図３−１】（ａ）、（ｂ）は、搬送中の連続媒体が切断された場合における画像形成システムの処理について示した図である。
【図３−２】（ｃ）、（ｄ）は、搬送中の連続媒体が切断された場合における画像形成システムの処理について示した図である。
【図４】（ａ）、（ｂ）、（ｃ）は、搬送中の連続媒体が切断された場合における画像形成システムの他の処理例について示した図である。
【図５】（ａ）、（ｂ）、（ｃ）は、搬送中の連続媒体が切断された場合における画像形成システムの他の処理例について示した図である。
【図６】（ａ）、（ｂ）、（ｃ）は、他の実施形態における画像形成システムの処理について示した図である。
【発明を実施するための形態】
【０００８】
以下、添付図面を参照して、本発明実施形態について詳細に説明する。
図１は、本実施形態の画像形成システム１の構成例を示した図である。
図１に示す画像形成システム１は、搬送方向に連続した連続媒体Ｓに対して画像を形成する画像形成装置２と、画像形成装置２に対して連続媒体Ｓを供給する給紙装置７と、画像形成装置２にて画像が形成された後の連続媒体Ｓを回収する回収装置８とを備える。
また、画像形成システム１は、表示パネル等により構成されユーザからの情報を受け付けるとともにユーザに対して情報を表示するＵＩ（User Interface）９を備えている。
【０００９】
ここで、画像形成システム１において、連続媒体Ｓとしては、例えばポリプロピレン（ＰＰ）やポリエチレンテレフタレート（ＰＥＴ）等からなるフィルムや、粘着面を有するシートと剥離紙とが積層されたシール用紙や、普通紙等を用いることができる。
なお、画像形成システム１では、給紙装置７と回収装置８との間に１台の画像形成装置２を配置しているが、例えば２台以上の画像形成装置２を直列的に配置してもよい。
また、連続媒体Ｓの表面と裏面とを反転させる反転装置（不図示）や画像を形成した後の連続媒体Ｓに後処理を施す後処理装置（不図示）等をさらに設けてもよい。
【００１０】
給紙装置７は、ロール状に巻かれた連続媒体Ｓを、巻き解きながら画像形成装置２に供給する。具体的には、給紙装置７は、ロール状に巻かれた連続媒体Ｓを支持するとともに回転可能な給紙ロール７１が設けられている。
そして、給紙装置７では、給紙ロール７１が図中矢印Ａ方向に回転することにより、ロール状に巻かれた連続媒体Ｓが巻き解かれ、図中矢印Ｂ方向に搬送されて画像形成装置２に供給される。
【００１１】
回収装置８は、画像形成装置２にて画像が形成された連続媒体Ｓをロール状に巻き取りながら回収する。具体的には、回収装置８は、回転可能な回収ロール８１が設けられている。
そして、回収ロール８１が図中矢印Ｃ方向に回転することで、画像形成装置２から排出された連続媒体Ｓが回収ロール８１にロール状に巻き取られる。
【００１２】
図２は、画像形成装置２の詳細を示した図である。
図２に示すように、画像形成装置２は、画像データに基づいてカラー画像を形成する画像形成部１０と、連続媒体Ｓを搬送する搬送手段の一例としての搬送ユニット２０とを備える。
また、画像形成装置２は、検知部の一例としての検知装置４０を備える。検知装置４０は、搬送ユニット２０により搬送される連続媒体Ｓの搬送状態を検知し、検知結果から、連続媒体Ｓが切断されたことを検知する。
【００１３】
また、画像形成装置２は、画像形成システム１全体の動作を制御する制御部６０を有している。
ここで、制御部６０は、ＣＰＵ（Central Processing Unit）、ＲＯＭ（Read Only Memory）、ＲＡＭ（Random Access Memory）、およびＨＤＤ（Hard Disk Drive）（何れも不図示）により構成されている。ＣＰＵでは、処理プログラムが実行される。ＲＯＭには、各種プログラム、各種テーブル、パラメータ等が記憶されている。ＲＡＭは、ＣＰＵによる各種プログラムの実行時におけるワークエリア等として用いられる。
【００１４】
画像形成部１０は、画像形成ユニット１１を備える。具体的には、画像形成部１０は、一定の間隔を置いて並列的に配置された、イエロー（Ｙ）、マゼンタ（Ｍ）、シアン（Ｃ）、黒（Ｋ）の各色トナー像をそれぞれ形成する４つの画像形成ユニット１１Ｙ,１１Ｍ,１１Ｃ,１１Ｋを備える。
【００１５】
また、画像形成部１０は、中間転写ベルト１２を備える。中間転写ベルト１２は、各画像形成ユニット１１に形成された各色トナー像が多重転写され、多重転写された各色トナー像を保持しながら搬送する。
また、画像形成部１０は、各画像形成ユニット１１の各色トナー像を中間転写ベルト１２に順次転写（一次転写）する一次転写ロール１３を備える。
さらに、画像形成部１０は、中間転写ベルト１２上に転写された重畳トナー像を連続媒体Ｓに一括転写（二次転写）する二次転写ロール１４を備える。
【００１６】
また、画像形成部１０は、中間転写ベルト１２を介して二次転写ロール１４に対向配置されるバックアップロール１５を備える。二次転写ロール１４は、中間転写ベルト１２を挟んでバックアップロール１５に押圧されている。
また、画像形成部１０は、転写されたトナー像を連続媒体Ｓに定着する定着手段の一例としての定着装置３０を備える。
【００１７】
定着装置３０は、定着ロール３１と、定着ロール３１と対向して設けられた加圧ロール３２とを備える。
定着ロール３１は、アルミニウムや鉄等の金属から構成される円筒形状の芯金３１１と、表面離型層３１２とを備える。表面離型層３１２は、芯金３１１の外周面に被覆されたフッ素樹脂等からなり、連続媒体Ｓからのオフセットトナーや紙粉の堆積を抑制する。
また、定着ロール３１は、芯金３１１の内側に設けられ、定着ロール３１の芯金３１１を加熱するヒータ３１３を備える。ヒータ３１３としては、例えばハロゲンランプが用いられる。
【００１８】
加圧ロール３２は、シャフト３２１と、円筒形状の弾性層３２２とを備える。シャフト３２１は、ステンレス、鉄等の金属から構成される。弾性層３２２は、シャフト３２１の外側に配置され、シリコーンゴム等の部材から構成される。
加圧ロール３２は、定着ロール３１に押し付けられ、定着ロール３１との間に、連続媒体Ｓが通過するニップ部Ｎを形成する。
【００１９】
定着装置３０では、定着ロール３１が予め定められた速度で一方向（図中反時計回り方向）に回転駆動される。また、定着ロール３１に接して設けられる加圧ロール３２は、定着ロール３１の回転に伴い定着ロール３１に追従して一方向（図中時計回り方向）に回転する。すなわち、加圧ロール３２は、定着ロール３１から回転駆動力を受けることで、定着ロール３１に連動して回転する。
【００２０】
また、定着装置３０は、制御部６０による制御に基づいて、加圧状態と解除状態とに切り替え可能に構成されている。具体的には、本実施形態では、加圧ロール３２を定着ロール３１に対して進退させる進退機構３３が設けられており、この進退機構３３により、定着装置３０が、加圧状態および解除状態の何れかの状態とされる。
【００２１】
ここで、解除状態とは、加圧ロール３２による定着ロール３１への押圧（ニップ部Ｎにおける加圧）が解除されており、定着ロール３１と加圧ロール３２とが互いに離間した状態である。本実施形態では、定着装置３０が解除状態にあるとき、連続媒体Ｓは、定着ロール３１と加圧ロール３２との間に位置しており、定着ロール３１および加圧ロール３２の両者から離間している。
【００２２】
また、加圧状態とは、加圧ロール３２が定着ロール３１に対して押圧され、定着ロール３１と加圧ロール３２との間にニップ部Ｎが形成された状態である。定着装置３０が加圧状態にあるとき、連続媒体Ｓは、加圧ロール３２により持ち上げられることにより、ニップ部Ｎにおいて定着ロール３１に押し付けられる。
【００２３】
次に、連続媒体Ｓの搬送系について説明する。
搬送ユニット２０は、入口ロール２１と、出口ロール２２とを備える。
入口ロール２１は、給紙装置７から画像形成装置２に供給された連続媒体Ｓを、二次転写ロール１４とバックアップロール１５とが圧接する二次転写部に向けて搬送する。
出口ロール２２は、定着装置３０によりトナー像が定着された連続媒体Ｓを、回収装置８に向けて搬送する。
なお、入口ロール２１と、二次転写ロール１４と、バックアップロール１５と、定着装置３０と、出口ロール２２とは、連続媒体搬送装置の一例である。
【００２４】
検知装置４０は、光学センサ４１と、アクチュエータ４２と、加圧ロールトルクセンサ４３と、出口ロールトルクセンサ４４と、エンコーダ４５とを備える。
光学センサ４１は、連続媒体Ｓの搬送方向において定着装置３０の直後に設けられている。
また、光学センサ４１は、定着装置３０から搬送されてきた連続媒体Ｓに向けて、光源からの光を出射する。そして、連続媒体Ｓからの反射光を受光部にて受けることにより、連続媒体Ｓの存在を検知する。
【００２５】
また、光学センサ４１は、光出射部から出射された光が受光部に到達しないことにより、連続媒体Ｓの不存在を検知する。
この場合、制御部６０は、光学センサ４１よりも連続媒体Ｓの搬送方向における上流側で連続媒体Ｓが切断されたと判断する。
【００２６】
アクチュエータ４２は、連続媒体Ｓの搬送方向において定着装置３０の直前に設けられている。また、アクチュエータ４２は、連続媒体Ｓを挟むことが可能に設けられている。
アクチュエータ４２が連続媒体Ｓを挟むと、アクチュエータ４２に設けられたレバー（不図示）が変位する。アクチュエータ４２が連続媒体Ｓを挟んでいる間、アクチュエータ４２の光出射部から出射された光は、変位したこのレバーにより遮蔽される。これにより、連続媒体Ｓの存在が検知される。
【００２７】
一方、アクチュエータ４２が連続媒体Ｓを挟んでいない場合、光出射部から出射された光は、レバーにより遮蔽されることなく受光部にて受光される。
この場合、アクチュエータ４２からの出力を受けた制御部６０は、アクチュエータ４２よりも連続媒体Ｓの搬送方向における上流側で、連続媒体Ｓが切断されたと判断する。
【００２８】
加圧ロールトルクセンサ４３は、加圧ロール３２の駆動モータ（不図示）における電流値を測定することにより、加圧ロール３２の駆動トルクを検知する。
定着装置３０が連続媒体Ｓを搬送していない場合、加圧ロール３２の駆動モータにおける電流値は、定着装置３０が連続媒体Ｓを搬送しているときと比べて低下する。
電流値が予め定められた値以下である場合、制御部６０は、定着装置３０で若しくは定着装置３０よりも連続媒体Ｓの搬送方向における上流側で、連続媒体Ｓが切断されたと判断する。
【００２９】
出口ロールトルクセンサ４４は、出口ロール２２の駆動モータ（不図示）における電流値を測定することにより、出口ロール２２の駆動トルクを検知する。
電流値が予め定められた値以下である場合、制御部６０は、出口ロールトルクセンサ４４で若しくは出口ロールトルクセンサ４４よりも連続媒体Ｓの搬送方向における上流側で、連続媒体Ｓが切断されたと判断する。
【００３０】
エンコーダ４５は、バックアップロール１５の回転速度を測定する。
バックアップロール１５が連続媒体Ｓを搬送していない場合、バックアップロール１５の回転速度は、連続媒体Ｓを搬送しているときと比べて上昇する。
回転速度が予め定められた値以上である場合、制御部６０は、バックアップロール１５で若しくはバックアップロール１５よりも連続媒体Ｓの搬送方向における上流側で、連続媒体Ｓが切断されたと判断する。
このように、検知装置４０は、画像形成装置２の機内における搬送経路のうちの予め定められた箇所に連続媒体Ｓが存在しない場合に、連続媒体Ｓが切断されたことを検知する。
【００３１】
図３−１（ａ）、（ｂ）、図３−２（ｃ）、（ｄ）は、搬送中の連続媒体Ｓが定着装置３０にて切断された場合における画像形成システム１の処理について示した図である。
図３−１（ａ）に示すように、画像形成システム１による連続媒体Ｓの搬送において、連続媒体Ｓは、給紙装置７の給紙ロール７１から回収装置８の回収ロール８１へ向けて図中矢印Ｅ方向（搬送方向下流側）へ搬送される。
【００３２】
ここで、図３−１（ｂ）に示すように、定着装置３０に起因して連続媒体Ｓが切断されたとする。定着装置３０に起因する連続媒体Ｓの切断は、例えば、連続媒体Ｓの一部が溶融することにより発生する。具体的には、連続媒体Ｓの一部が、定着ロール３１により加熱され溶融することで、連続媒体Ｓの切断が発生する。
【００３３】
定着装置３０にて連続媒体Ｓが切断されると、定着装置３０は連続媒体Ｓを搬送しなくなる。この結果、加圧ロールトルクセンサ４３は、加圧ロール３２の駆動モータにおける電流値が予め定められた値以下になったことを検知する。
その一方で、光学センサ４１およびアクチュエータ４２のいずれも、連続媒体Ｓの存在を検知している。
これにより、制御部６０は、連続媒体Ｓが切断された位置Ｘが、連続媒体Ｓの搬送経路のうちの、定着装置３０が位置する箇所であると判断する。
【００３４】
そして、本実施形態では、連続媒体Ｓが切断されたことが加圧ロールトルクセンサ４３により検知された場合、連続媒体Ｓの搬送を停止する。また、定着ロール３１のヒータ３１３に対する給電を停止する。
また、連続媒体Ｓが切断されたことが加圧ロールトルクセンサ４３により検知された場合、進退機構３３により、加圧ロール３２を図中矢印Ｄ方向に移動させ、ニップ部Ｎにおける加圧を解除する。これにより、連続媒体Ｓが定着ロール３１および加圧ロール３２から離間し、連続媒体Ｓが定着ロール３１から受ける熱量が低減する。
【００３５】
続いて、給紙ロール７１、入口ロール２１、二次転写ロール１４およびバックアップロール１５を駆動させ、図３−２（ｃ）に示すように、連続媒体Ｓのうちの搬送方向上流側に位置する部分（切断が生じた箇所よりも上流側に位置する部分）Ｓ１（以下、「上流側部分Ｓ１」と称する）を、図中矢印Ｆ方向（搬送方向上流側）へ搬送する。これにより、上流側部分Ｓ１は、給紙ロール７１に巻き取られる。
【００３６】
また、出口ロール２２および回収ロール８１を駆動させ、連続媒体Ｓのうちの搬送方向下流側に位置する部分（切断が生じた箇所よりも下流側に位置する部分）Ｓ２（以下、「下流側部分Ｓ２」と称する）を、図中矢印Ｅ方向（搬送方向下流側）へ搬送する。これにより、下流側部分Ｓ２は、回収ロール８１に巻き取られる。
【００３７】
給紙ロール７１により上流側部分Ｓ１が巻き取られると、図３−２（ｄ）に示すように、上流側部分Ｓ１は、画像形成装置２の機外に位置するようになる。
また、回収ロール８１により下流側部分Ｓ２が巻き取られると、下流側部分Ｓ２も、画像形成装置２の機外に位置するようになる。
【００３８】
このように、本実施形態では、定着装置３０にて連続媒体Ｓが切断されたことが検知された場合、上流側部分Ｓ１を巻き取り画像形成装置２から回収し、下流側部分Ｓ２を巻き取り画像形成装置２から回収する。これにより、後に行う連続媒体Ｓの補修作業がより容易なものになる。
【００３９】
連続媒体Ｓが切断された場合、上流側部分Ｓ１と下流側部分Ｓ２とを接合したものを、画像形成システム１で再び利用する場合がある。具体的には、上流側部分Ｓ１のうちの搬送方向における下流側端部と、下流側部分Ｓ２のうちの搬送方向における上流側端部とを接合したものを再び利用する場合がある。この場合、上流側部分Ｓ１と下流側部分Ｓ２との接合を可能にするために、上流側部分Ｓ１のうちの下流側端部の補修作業、および、下流側部分Ｓ２のうちの下流側端部の補修作業が必要になる。
【００４０】
ここで、連続媒体Ｓが切断された後も、上流側部分Ｓ１および下流側部分Ｓ２が画像形成装置２の機内に残される構成であると、上記の補修作業が行いにくくなることが多い。
これに対し、本実施形態のように、上流側部分Ｓ１を画像形成装置２の機外に排出し、下流側部分Ｓ２を画像形成装置２の機外に排出する構成の場合、上流側部分Ｓ１の補修作業および下流側部分Ｓ２の補修作業を行いやすくする。
【００４１】
図４（ａ）、（ｂ）、（ｃ）は、搬送中の連続媒体Ｓが切断された場合における画像形成システム１の他の処理例について示した図である。
図４（ａ）に示すように、出口ロール２２が設けられている箇所にて連続媒体Ｓが切断されると、出口ロール２２は連続媒体Ｓを搬送しなくなる。この結果、出口ロールトルクセンサ４４は、出口ロール２２の駆動モータにおける電流値が予め定められた値以下になったことを検知する。
その一方で、光学センサ４１では、連続媒体Ｓの存在が検知されている。
【００４２】
これにより、制御部６０は、連続媒体Ｓが切断された位置Ｘが、出口ロール２２が位置する箇所、若しくは、出口ロール２２が位置する箇所と光学センサ４１が位置する箇所との間であると判断する。
【００４３】
連続媒体Ｓが切断されたことが出口ロールトルクセンサ４４により検知された場合、連続媒体Ｓの搬送を停止する。また、定着ロール３１のヒータ３１３に対する給電を停止する。
また、連続媒体Ｓが切断されたことが出口ロールトルクセンサ４４により検知された場合、図４（ｂ）に示すように、進退機構３３により、加圧ロール３２を図中矢印Ｄ方向に移動させ、ニップ部Ｎにおける加圧を解除する。
【００４４】
続いて、本実施形態では、給紙ロール７１、入口ロール２１、二次転写ロール１４およびバックアップロール１５を駆動させ、連続媒体Ｓのうちの上流側部分Ｓ１を、図中矢印Ｅ方向（搬送方向下流側）へ搬送する。
【００４５】
また、回収ロール８１を駆動させ、連続媒体Ｓのうちの下流側部分Ｓ２も、図中矢印Ｅ方向（搬送方向下流側）へ搬送する。これにより、下流側部分Ｓ２は、回収ロール８１に巻き取られる。
【００４６】
上流側部分Ｓ１が搬送方向下流側へ搬送されると、図４（ｃ）に示すように、上流側部分Ｓ１のうちの搬送方向における下流側端部Ｓ１ａは、画像形成装置２の機外であって回収装置８側の機外に位置するようになる。
また、回収ロール８１により下流側部分Ｓ２が巻き取られると、下流側部分Ｓ２のうちの搬送方向における上流側端部Ｓ２ａも、画像形成装置２の機外であって回収装置８側の機外に位置するようになる。
【００４７】
このように、本実施形態では、連続媒体Ｓが切断されたことが検知された場合、下流側端部Ｓ１ａおよび上流側端部Ｓ２ａの両者を、画像形成装置２の機外であって回収装置８側の機外へ排出する。これにより、連続媒体Ｓを手作業で移動させることなく、上流側部分Ｓ１と下流側部分Ｓ２とを接合する作業を行える。
【００４８】
上流側部分Ｓ１と下流側部分Ｓ２とを接合したものを画像形成システム１で再び利用する場合、上記の補修作業の後に、上流側部分Ｓ１のうちの下流側端部Ｓ１ａと下流側部分Ｓ２のうちの上流側端部Ｓ２ａとを接合する作業（接合作業）が必要になる。
【００４９】
ここで、図３−２（ｃ）、（ｄ）に示すように、連続媒体Ｓが切断された後に、上流側部分Ｓ１と下流側部分Ｓ２とが上流側と下流側とに分かれて画像形成装置２の機外へ排出される構成であると、接合作業が煩雑になりやすい。具体的には、この場合、上流側部分Ｓ１および下流側部分Ｓ２の一方を、手作業で、他方まで移動させる必要が生じ、接合作業が煩雑となりやすい。
【００５０】
より具体的には、この場合、例えば、上流側部分Ｓ１を、手作業で、画像形成装置２の機内を通して下流側部分Ｓ２が位置する箇所まで運んだうえで（回収装置８まで運んだうえで）接合作業を行う必要が生じ、接合作業に手間を要する。また、下流側部分Ｓ２を、手作業で、画像形成装置２の機内を通して上流側部分Ｓ１が位置する箇所まで運ぶ場合も、同様に、接合作業に手間を要する。
これに対し、図４（ｂ）、（ｃ）にて示した処理例では、上流側部分Ｓ１あるいは下流側部分Ｓ２を手作業で運ぶ作業を行わずに済み、接合作業をより簡易に行える。
【００５１】
図５（ａ）、（ｂ）、（ｃ）は、搬送中の連続媒体Ｓが切断された場合における画像形成システム１の他の処理例について示した図である。
図５（ａ）に示すように、バックアップロール１５が設けられている箇所にて連続媒体Ｓが切断されると、二次転写ロール１４およびバックアップロール１５は連続媒体Ｓを搬送しなくなる。この結果、エンコーダ４５は、バックアップロール１５の回転速度が予め定められた値以上になったことを検知する。
【００５２】
これにより、制御部６０は、連続媒体Ｓが切断された位置Ｘが、バックアップロール１５が位置する箇所、若しくは、バックアップロール１５よりも連続媒体Ｓの搬送方向における上流側であると判断する。
【００５３】
連続媒体Ｓが切断されたことがエンコーダ４５により検知された場合、連続媒体Ｓの搬送を停止する。なお、この処理例では、定着ロール３１のヒータ３１３に対する給電は停止せず、定着ロール３１の加熱を維持する。また、進退機構３３による加圧ロール３２の移動も行わず、ニップ部Ｎにおける加圧を維持する。
なお、このとき、下流側部分Ｓ２のうちの、二次転写ロール１４が位置する箇所と定着装置３０が位置する箇所との間の部分には、未定着のトナー像が形成されている。
【００５４】
続いて、定着装置３０、出口ロール２２、回収ロール８１を駆動させ、図５（ｂ）に示すように、連続媒体Ｓのうちの下流側部分Ｓ２を、図中矢印Ｅ方向（搬送方向下流側）へ搬送する。これにより、下流側部分Ｓ２は、回収ロール８１に巻き取られる。
このとき、下流側部分Ｓ２のうちの未定着のトナー像が形成されている部分は、定着装置３０を通過する。これにより、このトナー像は、下流側部分Ｓ２に定着される。
【００５５】
図５（ｃ）に示すように、下流側部分Ｓ２が定着装置３０よりも下流側へ搬送されると、定着装置３０は連続媒体Ｓを搬送しなくなる。この結果、加圧ロールトルクセンサ４３は、加圧ロール３２の駆動モータにおける電流値が予め定められた値以下になったことを検知する。
【００５６】
連続媒体Ｓの不存在が加圧ロールトルクセンサ４３により検知された場合、定着ロール３１のヒータ３１３に対する給電を停止する。また、進退機構３３により、加圧ロール３２を図中矢印Ｄ方向に移動させ、ニップ部Ｎにおける加圧を解除する。
回収ロール８１により下流側部分Ｓ２が巻き取られると、下流側部分Ｓ２は、画像形成装置２の機外に位置するようになる。
【００５７】
このように、本実施形態では、連続媒体Ｓが定着装置３０よりも搬送方向上流側で切断されたことが検知された場合、下流側部分Ｓ２が定着装置３０よりも下流側へ搬送されるまで、定着ロール３１の加熱およびニップ部Ｎにおける加圧を維持する。これにより、画像形成装置２の内部や回収装置８の内部に未定着のトナー像が付着することが抑制される。
【００５８】
連続媒体Ｓが切断されたことが検知されたと同時に、定着ロール３１の加熱およびニップ部Ｎにおける加圧を解除する構成であると、下流側部分Ｓ２に未定着のトナー像が載ったまま、下流側部分Ｓ２が、画像形成装置２の機外へ排出される。付言すると、下流側部分Ｓ２の一部に形成された未定着のトナー像が、下流側部分Ｓ２に定着されないまま、下流側部分Ｓ２が、画像形成装置２の機外へ排出される。
この場合、この未定着のトナー像が、画像形成装置２を通って回収装置８に向かうようになり、画像形成装置２の内部や回収装置８の内部にこの未定着のトナー像が付着するおそれがある。
【００５９】
これに対し、本実施形態のように、下流側部分Ｓ２が定着装置３０よりも下流側へ搬送されるまで定着ロール３１の加熱およびニップ部Ｎにおける加圧を維持する構成の場合、下流側部分Ｓ２の一部に形成された未定着のトナー像が下流側部分Ｓ２に定着される。
この場合、上記の通り、画像形成装置２の内部や回収装置８の内部にトナー像が付着することが抑制される。
【００６０】
また、本実施形態では、連続媒体Ｓが定着装置３０よりも搬送方向上流側で切断されたことが検知された場合、図５（ｂ）、（ｃ）に示すように、上流側部分Ｓ１を搬送方向下流側へ搬送せずに、上流側部分Ｓ１の搬送を停止する。これにより、上流側部分Ｓ１が定着装置３０に達することが防止され、定着装置３０への連続媒体Ｓの巻き付きが防止される。
【００６１】
ここで、本実施形態では、定着ロール３１から連続媒体Ｓを剥離する剥離部材が設けられておらず、定着装置３０への連続媒体Ｓの巻き付きが生じやすくなっている。より具体的には、連続媒体Ｓは給紙ロール７１と回収ロール８１とにより張架され、定着装置３０への巻き付きがそもそも生じにくいため、本実施形態では、剥離部材の設置を省略しているが、この場合、定着装置３０への連続媒体Ｓへの巻き付きが生じやすくなる。ところで、この構成の場合、連続媒体Ｓが切断されると、定着装置３０への連続媒体Ｓの巻き付きが生じやすいものとなる。
【００６２】
定着装置３０よりも搬送方向上流側で連続媒体Ｓが切断された後、上流側部分Ｓ１を搬送方向下流側へ搬送する構成であると、上流側部分Ｓ１が定着装置３０に達する。この場合、定着装置３０に達した上流側部分Ｓ１が定着ロール３１に巻き付くおそれがある。
【００６３】
これに対し、本実施形態のように、上流側部分Ｓ１を搬送方向下流側へ搬送せずに上流側部分Ｓ１の搬送を停止する構成の場合、上流側部分Ｓ１が定着装置３０に達することが防止される。この場合、上記の通り、定着装置３０への連続媒体Ｓの巻き付きが防止される。
なお、定着装置３０が位置する箇所で連続媒体Ｓが切断されたことが検知された場合、上流側部分Ｓ１の搬送を停止してもよい。
【００６４】
図６（ａ）、（ｂ）、（ｃ）は、他の実施形態における画像形成システム１の処理について示した図である。
この実施形態では、図６（ａ）に示すように、画像形成装置２の機内に作業領域Ｒが設けられている。具体的には、入口ロール２１と二次転写ロール１４およびバックアップロール１５との間に、作業領域Ｒが設けられている。
作業領域Ｒは、切断された連続媒体Ｓの端部の補修作業や、上流側部分Ｓ１と下流側部分Ｓ２との接合作業を画像形成装置２の機内で行うために設けられた領域である。
【００６５】
ここで、図６（ａ）に示すように、アクチュエータ４２が設けられている箇所にて連続媒体Ｓが切断されたとする。アクチュエータ４２が設けられている箇所にて連続媒体Ｓが切断されると、アクチュエータ４２は連続媒体Ｓを挟まなくなる。この結果、アクチュエータ４２の光出射部から出射された光が受光部にて受光され、連続媒体Ｓが切断されたことが検知される。
その一方で、エンコーダ４５では、連続媒体Ｓの存在が検知されている。
【００６６】
これにより、制御部６０は、連続媒体Ｓが切断された位置Ｘが、アクチュエータ４２が位置する箇所、若しくは、アクチュエータ４２が位置する箇所とエンコーダ４５が位置する箇所との間であると判断する。
【００６７】
連続媒体Ｓが切断されたことがアクチュエータ４２により検知された場合、連続媒体Ｓの搬送を停止する。また、定着ロール３１のヒータ３１３に対する給電を停止する。
また、連続媒体Ｓが切断されたことがアクチュエータ４２により検知された場合、図６（ｂ）に示すように、進退機構３３により、加圧ロール３２を図中矢印Ｄ方向に移動させ、ニップ部Ｎにおける加圧を解除する。
【００６８】
続いて、この実施形態では、給紙ロール７１、入口ロール２１、二次転写ロール１４およびバックアップロール１５を駆動させ、上流側部分Ｓ１を、作業領域Ｒに向けて図中矢印Ｆ方向（搬送方向上流側）へ搬送する。これにより、上流側部分Ｓ１は、給紙ロール７１に巻き取られる。
また、出口ロール２２および回収ロール８１を駆動させ、下流側部分Ｓ２も、作業領域Ｒに向けて図中矢印Ｆ方向（搬送方向上流側）へ搬送する。
【００６９】
そして、図６（ｃ）に示すように、上流側部分Ｓ１のうちの下流側端部Ｓ１ａが作業領域Ｒの領域内に達すると、上流側部分Ｓ１の搬送を停止する。
また、下流側部分Ｓ２のうちの上流側端部Ｓ２ａが作業領域Ｒの領域内に達すると、下流側部分Ｓ２の搬送を停止する。
【００７０】
このように、この実施形態では、連続媒体Ｓが切断されたことが検知された場合、下流側端部Ｓ１ａおよび上流側端部Ｓ２ａが作業領域Ｒに移動するまで、上流側部分Ｓ１および下流側部分Ｓ２を搬送する。これにより、上流側部分Ｓ１および下流側部分Ｓ２を画像形成装置２の機外に排出することなく、上記の補修作業や接合作業を行える。
【００７１】
なお、本実施形態および他の実施形態では、検知装置４０は、光学センサ４１と、アクチュエータ４２と、加圧ロールトルクセンサ４３と、出口ロールトルクセンサ４４と、エンコーダ４５とを備える構成とした。
【００７２】
ここで、検知装置４０は、搬送中の連続媒体Ｓが切断されたことを検知する構成を少なくとも一つ備えていればよい。この場合、切断された連続媒体Ｓが定着装置３０に巻き付くことを抑制するために、光学センサ４１もしくはアクチュエータ４２を定着装置３０の直後に設ける構成、若しくは、定着装置３０の設置箇所における連続媒体Ｓの存在の有無が検知される構成であればいい。
【符号の説明】
【００７３】
１…画像形成システム、２…画像形成装置、７…給紙装置、８…回収装置、１０…画像形成部、１４…二次転写ロール、１５…バックアップロール、２０…搬送ユニット、２１…入口ロール、２２…出口ロール、３０…定着装置、３１…定着ロール、３２…加圧ロール、４０…検知装置、４１…光学センサ、４２…アクチュエータ、４３…加圧ロールトルクセンサ、４４…出口ロールトルクセンサ、４５…エンコーダ、６０…制御部、７１…給紙ロール、８１…回収ロール、Ｓ…連続媒体、Ｓ１…上流側部分、Ｓ２…下流側部分
【図１】
2018017935.tif 000003
【図２】
2018017935.tif 000004
【図３−１】
2018017935.tif 000005
【図３−２】
2018017935.tif 000006
【図４】
2018017935.tif 000007
【図５】
2018017935.tif 000008
【図６】
2018017935.tif 000009
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
連続媒体に画像を形成する画像形成部と、
連続媒体を搬送する搬送手段と、
前記搬送手段により搬送される連続媒体の搬送状態から当該連続媒体の切断を検知する検知部と、
画像が形成された連続媒体を加熱および加圧し当該連続媒体に当該画像を定着する定着手段と、
を備え、
前記搬送手段は、前記定着手段よりも搬送方向上流側で前記連続媒体の切断が前記検知部により検知された場合、切断された当該連続媒体のうちの搬送方向下流側に位置する下流側部分の上流側端部が当該定着手段よりも下流側まで移動するように当該下流側部分の搬送を行い、当該定着手段よりも搬送方向下流側で当該連続媒体の切断が検知された場合、当該下流側部分の搬送を行わない画像形成装置。
【請求項２】
連続媒体に画像を形成する画像形成部と、
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの、搬送方向下流側に位置する下流側部分および搬送方向上流側に位置する上流側部分の両方を、上流側へ搬送することなく下流側へ搬送する画像形成装置。
【請求項３】
連続媒体に画像を形成する画像形成部と、
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の予め定められた箇所まで移動するように、当該連続媒体の搬送を行う画像形成装置。
【請求項４】
連続媒体に画像を形成する画像形成部と、
連続媒体を搬送する搬送手段と、
前記搬送手段により搬送される連続媒体の搬送状態から当該連続媒体の切断を検知する検知部と、
画像が形成された連続媒体を加熱および加圧し当該連続媒体に当該画像を定着する定着手段と、
を備え、
前記搬送手段は、前記連続媒体の切断が当該定着手段よりも搬送方向上流側で前記検知部により検知された場合と当該定着手段よりも搬送方向下流側で検知された場合とで、切断された当該連続媒体のうちの搬送方向上流側に位置する上流側部分の搬送先を変える画像形成装置。
【請求項５】
前記搬送手段は、前記定着手段よりも前記搬送方向上流側で前記連続媒体の切断が前記検知部により検知された場合、前記上流側部分を上流側へ搬送し、当該定着手段よりも前記搬送方向下流側で当該連続媒体の切断が当該検知部により検知された場合、前記上流側部分を下流側へ搬送することを特徴とする請求項４記載の画像形成装置。
【請求項６】
前記定着手段では、画像が形成された連続媒体が通過するニップ部にて当該連続媒体を加熱および加圧し当該連続媒体に当該画像を定着し、
前記検知部により前記連続媒体の切断が検知された場合、前記ニップ部における加圧を解除する手段を更に備えることを特徴とする請求項１または４記載の画像形成装置。
【請求項７】
前記搬送手段は、前記検知部により前記連続媒体の切断が検知された場合、切断された当該連続媒体のうちの搬送方向上流側に位置する上流側部分を上流側へ搬送することを特徴とする請求項１または３記載の画像形成装置。
【請求項８】
前記搬送手段は、前記検知部により前記連続媒体の切断が検知された場合、前記上流側部分を下流側へ搬送することを特徴とする請求項３記載の画像形成装置。
【請求項９】
前記搬送手段は、前記検知部により前記連続媒体の切断が検知された場合、前記下流側部分を下流側へ搬送することを特徴とする請求項３または４記載の画像形成装置。
【請求項１０】
前記定着手段は、前記検知部により前記連続媒体の切断が検知された場合であって、当該連続媒体のうちの当該定着手段よりも搬送方向上流側に位置する部分を前記搬送手段により当該定着手段よりも下流側へ搬送する場合、当該部分を加熱および加圧することを特徴とする請求項１または４記載の画像形成装置。
【請求項１１】
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの、搬送方向下流側に位置する部分および搬送方向上流側に位置する部分を、上流側へ搬送することなくともに下流側へ搬送する連続媒体搬送装置。
【請求項１２】
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の予め定められた箇所まで移動するように、当該連続媒体の搬送を行う連続媒体搬送装置。
【請求項１３】
連続媒体を供給する給紙装置と、
前記給紙装置から供給された連続媒体に画像を形成する画像形成装置と、
前記画像形成装置により画像が形成された連続媒体を回収する回収装置と、
を備え、
前記画像形成装置は、請求項１乃至１０のいずれか記載の画像形成装置により構成された画像形成システム。
【手続補正２】
【補正対象書類名】明細書
【補正対象項目名】０００５
【補正方法】変更
【補正の内容】
【０００５】
請求項１に記載の発明は、連続媒体に画像を形成する画像形成部と、連続媒体を搬送する搬送手段と、前記搬送手段により搬送される連続媒体の搬送状態から当該連続媒体の切断を検知する検知部と、画像が形成された連続媒体を加熱および加圧し当該連続媒体に当該画像を定着する定着手段と、を備え、前記搬送手段は、前記定着手段よりも搬送方向上流側で前記連続媒体の切断が前記検知部により検知された場合、切断された当該連続媒体のうちの搬送方向下流側に位置する下流側部分の上流側端部が当該定着手段よりも下流側まで移動するように当該下流側部分の搬送を行い、当該定着手段よりも搬送方向下流側で当該連続媒体の切断が検知された場合、当該下流側部分の搬送を行わない画像形成装置である。
請求項２に記載の発明は、連続媒体に画像を形成する画像形成部と、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの、搬送方向下流側に位置する下流側部分および搬送方向上流側に位置する上流側部分の両方を、上流側へ搬送することなく下流側へ搬送する画像形成装置である。
請求項３に記載の発明は、連続媒体に画像を形成する画像形成部と、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の予め定められた箇所まで移動するように、当該連続媒体の搬送を行う画像形成装置である。
請求項４に記載の発明は、連続媒体に画像を形成する画像形成部と、連続媒体を搬送する搬送手段と、前記搬送手段により搬送される連続媒体の搬送状態から当該連続媒体の切断を検知する検知部と、画像が形成された連続媒体を加熱および加圧し当該連続媒体に当該画像を定着する定着手段と、を備え、前記搬送手段は、前記連続媒体の切断が当該定着手段よりも搬送方向上流側で前記検知部により検知された場合と当該定着手段よりも搬送方向下流側で検知された場合とで、切断された当該連続媒体のうちの搬送方向上流側に位置する上流側部分の搬送先を変える画像形成装置である。
請求項５に記載の発明は、前記搬送手段は、前記定着手段よりも前記搬送方向上流側で前記連続媒体の切断が前記検知部により検知された場合、前記上流側部分を上流側へ搬送し、当該定着手段よりも前記搬送方向下流側で当該連続媒体の切断が当該検知部により検知された場合、前記上流側部分を下流側へ搬送することを特徴とする請求項４記載の画像形成装置。である。
請求項６に記載の発明は、前記定着手段では、画像が形成された連続媒体が通過するニップ部にて当該連続媒体を加熱および加圧し当該連続媒体に当該画像を定着し、前記検知部により前記連続媒体の切断が検知された場合、前記ニップ部における加圧を解除する手段を更に備えることを特徴とする請求項１または４記載の画像形成装置である。
請求項７に記載の発明は、前記搬送手段は、前記検知部により前記連続媒体の切断が検知された場合、切断された当該連続媒体のうちの搬送方向上流側に位置する上流側部分を上流側へ搬送することを特徴とする請求項１または３記載の画像形成装置である。
請求項８に記載の発明は、前記搬送手段は、前記検知部により前記連続媒体の切断が検知された場合、前記上流側部分を下流側へ搬送することを特徴とする請求項３記載の画像形成装置である。
請求項９に記載の発明は、前記搬送手段は、前記検知部により前記連続媒体の切断が検知された場合、前記下流側部分を下流側へ搬送することを特徴とする請求項３または４記載の画像形成装置である。
請求項１０に記載の発明は、前記定着手段は、前記検知部により前記連続媒体の切断が検知された場合であって、当該連続媒体のうちの当該定着手段よりも搬送方向上流側に位置する部分を前記搬送手段により当該定着手段よりも下流側へ搬送する場合、当該部分を加熱および加圧することを特徴とする請求項１または４記載の画像形成装置である。
請求項１１に記載の発明は、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの、搬送方向下流側に位置する部分および搬送方向上流側に位置する部分を、上流側へ搬送することなくともに下流側へ搬送する連続媒体搬送装置である。
請求項１２に記載の発明は、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の予め定められた箇所まで移動するように、当該連続媒体の搬送を行う連続媒体搬送装置である。
請求項１３に記載の発明は、連続媒体を供給する給紙装置と、前記給紙装置から供給された連続媒体に画像を形成する画像形成装置と、前記画像形成装置により画像が形成された連続媒体を回収する回収装置と、を備え、前記画像形成装置は、請求項１乃至１０のいずれか記載の画像形成装置により構成された画像形成システムである。
【手続補正３】
【補正対象書類名】明細書
【補正対象項目名】０００６
【補正方法】変更
【補正の内容】
【０００６】
請求項１の発明によれば、下流側部分を定着手段よりも下流側まで移動させずに済み復旧作業をより簡易に行うことができるとともに、定着手段よりも搬送方向下流側で連続媒体の切断が検知された場合、下流側部分の搬送不良が生じることを抑制することができる。
請求項２の発明によれば、上流側部分の下流側端部と下流側部分の上流側端部との接合作業をより簡易に行うことができる。
請求項３の発明によれば、上流側部分の下流側端部と下流側部分の上流側端部との接合作業をより簡易に行うことができる。
請求項４の発明によれば、後に行う復旧作業をより簡易なものにするように、切断された連続媒体のうちの上流側部分の搬送先を、定着手段に対する連続媒体の切断位置に対応付けて設定することができる。
請求項５の発明によれば、切断された連続媒体のうちの搬送方向上流側に位置する部分が定着手段に達することを防止することができるとともに、後に行う復旧作業をより簡易なものにできる。
請求項６の発明によれば、連続媒体の切断後にニップ部における加圧を解除しない場合に比べて、連続媒体が画像形成部から受ける熱量を低減することができる。
請求項７の発明によれば、上流側部分を上流側へ搬送しない場合に比べて、後に行う復旧作業をより簡易なものにできる。
請求項８の発明によれば、上流側部分を下流側へ搬送しない場合に比べて、後に行う復旧作業をより簡易なものにできる。
請求項９の発明によれば、下流側部分を下流側へ搬送しない場合に比べて、後に行う復旧作業をより簡易なものにできる。
請求項１０の発明によれば、連続媒体のうちの定着手段よりも搬送方向上流側に位置する部分を加熱および加圧しない場合に比べて、画像形成装置の内部にトナー像が付着することを抑制することができる。
請求項１１の発明によれば、上流側部分の下流側端部と下流側部分の上流側端部との接合作業をより簡易に行うことができる。
請求項１２の発明によれば、上流側部分の下流側端部と下流側部分の上流側端部との接合作業をより簡易に行うことができる。
請求項１３の発明によれば、下流側部分を定着手段よりも下流側まで移動させずに済み復旧作業をより簡易に行うことができるとともに、定着手段よりも搬送方向下流側で連続媒体の切断が検知された場合、下流側部分の搬送不良が生じることを抑制することができる。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
連続媒体に画像を形成する画像形成部と、
連続媒体を搬送する搬送手段と、
前記搬送手段により搬送される連続媒体の搬送状態から当該連続媒体の切断を検知する検知部と、
画像が形成された連続媒体を加熱および加圧し当該連続媒体に当該画像を定着する定着手段と、
を備え、
前記搬送手段は、前記定着手段よりも搬送方向上流側で前記連続媒体の切断が前記検知部により検知された場合、切断された当該連続媒体のうちの搬送方向下流側に位置する下流側部分の上流側端部が当該定着手段よりも下流側まで移動するように当該下流側部分の搬送を行い、当該定着手段よりも搬送方向下流側で当該連続媒体の切断が検知された場合、当該下流側部分の搬送を行わない画像形成装置。
【請求項２】
連続媒体に画像を形成する画像形成部と、
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの、搬送方向下流側に位置する下流側部分の上流側端部および搬送方向上流側に位置する上流側部分の下流側端部の両方が自装置の機外まで移動するように、当該下流側部分および当該上流側部分の両方を、上流側へ搬送することなく下流側へ搬送する画像形成装置。
【請求項３】
連続媒体に画像を形成する画像形成部と、
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の、切断された当該連続媒体の端部の補修作業が可能な箇所として予め定められた箇所まで移動するように、当該連続媒体の搬送を行い、当該上流側部分の当該下流側端部および当該下流側部分の当該上流側端部が当該予め定められた箇所に到達すると、当該連続媒体の搬送を停止する画像形成装置。
【請求項４】
連続媒体に画像を形成する画像形成部と、
連続媒体を搬送する搬送手段と、
前記搬送手段により搬送される連続媒体の搬送状態から当該連続媒体の切断を検知する検知部と、
画像が形成された連続媒体を加熱および加圧し当該連続媒体に当該画像を定着する定着手段と、
を備え、
前記搬送手段は、前記定着手段よりも搬送方向上流側で前記連続媒体の切断が前記検知部により検知された場合、切断された当該連続媒体のうちの搬送方向上流側に位置する前記上流側部分を上流側へ搬送し、当該定着手段よりも搬送方向下流側で当該連続媒体の切断が当該検知部により検知された場合、当該上流側部分を下流側へ搬送する画像形成装置。
【請求項５】
前記定着手段では、画像が形成された連続媒体が通過するニップ部にて当該連続媒体を加熱および加圧し当該連続媒体に当該画像を定着し、
前記検知部により前記連続媒体の切断が検知された場合、前記ニップ部における加圧を解除する手段を更に備えることを特徴とする請求項１または４記載の画像形成装置。
【請求項６】
前記搬送手段は、前記検知部により前記連続媒体の切断が検知された場合、切断された当該連続媒体のうちの搬送方向上流側に位置する上流側部分を上流側へ搬送することを特徴とする請求項１記載の画像形成装置。
【請求項７】
前記搬送手段は、前記検知部により前記連続媒体の切断が検知された場合、切断された当該連続媒体のうちの搬送方向下流側に位置する下流側部分を下流側へ搬送することを特徴とする請求項４記載の画像形成装置。
【請求項８】
前記定着手段は、前記検知部により前記連続媒体の切断が検知された場合であって、当該連続媒体のうちの当該定着手段よりも搬送方向上流側に位置する部分を前記搬送手段により当該定着手段よりも下流側へ搬送する場合、当該部分を加熱および加圧することを特徴とする請求項１または４記載の画像形成装置。
【請求項９】
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの、搬送方向下流側に位置する下流側部分の上流側端部および搬送方向上流側に位置する上流側部分の下流側端部の両方が自装置の機外まで移動するように、当該下流側部分および当該上流側部分の両方を、上流側へ搬送することなくともに下流側へ搬送する連続媒体搬送装置。
【請求項１０】
連続媒体を搬送する搬送手段と、
前記搬送手段により搬送される連続媒体の搬送状態から当該連続媒体の切断を検知する検知部と、
を備え、
前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の、切断された当該連続媒体の端部の補修作業が可能な箇所として予め定められた箇所まで移動するように、当該連続媒体の搬送を行い、当該上流側部分の当該下流側端部および当該下流側部分の当該上流側端部が当該予め定められた箇所に到達すると、当該連続媒体の搬送を停止する連続媒体搬送装置。
【請求項１１】
連続媒体を供給する給紙装置と、
前記給紙装置から供給された連続媒体に画像を形成する画像形成装置と、
前記画像形成装置により画像が形成された連続媒体を回収する回収装置と、
を備え、
前記画像形成装置は、請求項１乃至８のいずれか記載の画像形成装置により構成された画像形成システム。
【手続補正２】
【補正対象書類名】明細書
【補正対象項目名】０００５
【補正方法】変更
【補正の内容】
【０００５】
請求項１に記載の発明は、連続媒体に画像を形成する画像形成部と、連続媒体を搬送する搬送手段と、前記搬送手段により搬送される連続媒体の搬送状態から当該連続媒体の切断を検知する検知部と、画像が形成された連続媒体を加熱および加圧し当該連続媒体に当該画像を定着する定着手段と、を備え、前記搬送手段は、前記定着手段よりも搬送方向上流側で前記連続媒体の切断が前記検知部により検知された場合、切断された当該連続媒体のうちの搬送方向下流側に位置する下流側部分の上流側端部が当該定着手段よりも下流側まで移動するように当該下流側部分の搬送を行い、当該定着手段よりも搬送方向下流側で当該連続媒体の切断が検知された場合、当該下流側部分の搬送を行わない画像形成装置である。
請求項２に記載の発明は、連続媒体に画像を形成する画像形成部と、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの、搬送方向下流側に位置する下流側部分の上流側端部および搬送方向上流側に位置する上流側部分の下流側端部の両方が自装置の機外まで移動するように、当該下流側部分および当該上流側部分の両方を、上流側へ搬送することなく下流側へ搬送する画像形成装置である。
請求項３に記載の発明は、連続媒体に画像を形成する画像形成部と、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の、切断された当該連続媒体の端部の補修作業が可能な箇所として予め定められた箇所まで移動するように、当該連続媒体の搬送を行い、当該上流側部分の当該下流側端部および当該下流側部分の当該上流側端部が当該予め定められた箇所に到達すると、当該連続媒体の搬送を停止する画像形成装置である。
請求項４に記載の発明は、連続媒体に画像を形成する画像形成部と、連続媒体を搬送する搬送手段と、前記搬送手段により搬送される連続媒体の搬送状態から当該連続媒体の切断を検知する検知部と、画像が形成された連続媒体を加熱および加圧し当該連続媒体に当該画像を定着する定着手段と、を備え、前記搬送手段は、前記定着手段よりも搬送方向上流側で前記連続媒体の切断が前記検知部により検知された場合、切断された当該連続媒体のうちの搬送方向上流側に位置する上流側部分を上流側へ搬送し、当該定着手段よりも搬送方向下流側で当該連続媒体の切断が当該検知部により検知された場合、当該上流側部分を下流側へ搬送する画像形成装置である。
請求項５に記載の発明は、前記定着手段では、画像が形成された連続媒体が通過するニップ部にて当該連続媒体を加熱および加圧し当該連続媒体に当該画像を定着し、前記検知部により前記連続媒体の切断が検知された場合、前記ニップ部における加圧を解除する手段を更に備えることを特徴とする請求項１または４記載の画像形成装置である。
請求項６に記載の発明は、前記搬送手段は、前記検知部により前記連続媒体の切断が検知された場合、切断された当該連続媒体のうちの搬送方向上流側に位置する上流側部分を上流側へ搬送することを特徴とする請求項１記載の画像形成装置である。
請求項７に記載の発明は、前記搬送手段は、前記検知部により前記連続媒体の切断が検知された場合、切断された当該連続媒体のうちの搬送方向下流側に位置する下流側部分を下流側へ搬送することを特徴とする請求項４記載の画像形成装置である。
請求項８に記載の発明は、前記定着手段は、前記検知部により前記連続媒体の切断が検知された場合であって、当該連続媒体のうちの当該定着手段よりも搬送方向上流側に位置する部分を前記搬送手段により当該定着手段よりも下流側へ搬送する場合、当該部分を加熱および加圧することを特徴とする請求項１または４記載の画像形成装置である。
請求項９に記載の発明は、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの、搬送方向下流側に位置する下流側部分の上流側端部および搬送方向上流側に位置する上流側部分の下流側端部の両方が自装置の機外まで移動するように、当該下流側部分および当該上流側部分の両方を、上流側へ搬送することなくともに下流側へ搬送する連続媒体搬送装置である。
請求項１０に記載の発明は、連続媒体を搬送する搬送手段と、前記搬送手段により搬送される連続媒体の搬送状態から当該連続媒体の切断を検知する検知部と、を備え、前記搬送手段は、前記検知部により前記連続媒体の切断が検知された場合、切断された当該連続媒体のうちの搬送方向上流側に位置する上流側部分の下流側端部および搬送方向下流側に位置する下流側部分の上流側端部が、連続媒体搬送経路中の、切断された当該連続媒体の端部の補修作業が可能な箇所として予め定められた箇所まで移動するように、当該連続媒体の搬送を行い、当該上流側部分の当該下流側端部および当該下流側部分の当該上流側端部が当該予め定められた箇所に到達すると、当該連続媒体の搬送を停止する連続媒体搬送装置である。
請求項１１に記載の発明は、連続媒体を供給する給紙装置と、前記給紙装置から供給された連続媒体に画像を形成する画像形成装置と、前記画像形成装置により画像が形成された連続媒体を回収する回収装置と、を備え、前記画像形成装置は、請求項１乃至８のいずれか記載の画像形成装置により構成された画像形成システムである。
【手続補正３】
【補正対象書類名】明細書
【補正対象項目名】０００６
【補正方法】変更
【補正の内容】
【０００６】
請求項１の発明によれば、下流側部分を定着手段よりも下流側まで移動させずに済み復旧作業をより簡易に行うことができるとともに、定着手段よりも搬送方向下流側で連続媒体の切断が検知された場合、下流側部分の搬送不良が生じることを抑制することができる。
請求項２の発明によれば、上流側部分の下流側端部と下流側部分の上流側端部との接合作業をより簡易に行うことができる。
請求項３の発明によれば、上流側部分の下流側端部と下流側部分の上流側端部との接合作業をより簡易に行うことができる。
請求項４の発明によれば、切断された連続媒体のうちの搬送方向上流側に位置する部分が定着手段に達することを防止することができるとともに、後に行う復旧作業をより簡易なものにできる。
請求項５の発明によれば、連続媒体の切断後にニップ部における加圧を解除しない場合に比べて、連続媒体が画像形成部から受ける熱量を低減することができる。
請求項６の発明によれば、上流側部分を上流側へ搬送しない場合に比べて、後に行う復旧作業をより簡易なものにできる。
請求項７の発明によれば、下流側部分を下流側へ搬送しない場合に比べて、後に行う復旧作業をより簡易なものにできる。
請求項８の発明によれば、連続媒体のうちの定着手段よりも搬送方向上流側に位置する部分を加熱および加圧しない場合に比べて、画像形成装置の内部にトナー像が付着することを抑制することができる。
請求項９の発明によれば、上流側部分の下流側端部と下流側部分の上流側端部との接合作業をより簡易に行うことができる。
請求項１０の発明によれば、上流側部分の下流側端部と下流側部分の上流側端部との接合作業をより簡易に行うことができる。
請求項１１の発明によれば、下流側部分を定着手段よりも下流側まで移動させずに済み復旧作業をより簡易に行うことができるとともに、定着手段よりも搬送方向下流側で連続媒体の切断が検知された場合、下流側部分の搬送不良が生じることを抑制することができる。